(57)【要約】複数の燃料アセンブリを受け取るためのバスケットアセンブリは、燃料アセンブリコンパートメント間の間隔を画定するグリッドを有するバスケットを含み、グリッドは、第１の燃料アセンブリを受け取るための第１のコンパートメントと、第２の燃料アセンブリを受け取るための第２のコンパートメントとを画定し、第２のコンパートメントの断面積は、第１のコンパートメントの断面積より大きい。バスケットアセンブリは、第１のコンパートメントの中に第１の燃料アセンブリを受け取るように構成され、第１の燃料アセンブリは、定形燃料アセンブリであり、バスケットアセンブリは、第２のコンパートメントの中に第２の燃料アセンブリを受け取るように構成され、第２の燃料アセンブリは、不定形燃料アセンブリであり、不定形燃料アセンブリは、少なくとも１つの不定形燃料棒を含む。
2021507248.tif 000002
【特許請求の範囲】
【請求項１】
複数の燃料アセンブリを受け取るためのバスケットアセンブリであって、前記バスケットアセンブリは、燃料アセンブリコンパートメント間の間隔を画定するグリッドを有するバスケットを備え、
前記グリッドは、第１の燃料アセンブリを受け取るための第１のコンパートメントと、第２の燃料アセンブリを受け取るための第２のコンパートメントとを画定し、前記第２のコンパートメントの断面積は、前記第１のコンパートメントの断面積より大きく、前記バスケットアセンブリは、前記第１のコンパートメントの中に第１の燃料アセンブリを受け取るように構成され、前記第１の燃料アセンブリは、定形燃料アセンブリであり、前記バスケットアセンブリは、前記第２のコンパートメントの中に第２の燃料アセンブリを受け取るように構成され、前記第２の燃料アセンブリは、不定形燃料アセンブリであり、前記不定形燃料アセンブリは、少なくとも１つの不定形燃料棒を含む、バスケットアセンブリ。
【請求項２】
前記不定形燃料棒は、湾曲した燃料棒、捻じられた燃料棒、変形させられた燃料棒、損傷された燃料棒、瓶詰めされた燃料デブリ、およびそれらの任意の組み合わせから成る群から選択される、請求項１に記載のバスケットアセンブリ。
【請求項３】
前記第２のコンパートメントの断面積は、ある増倍率だけ前記第１のコンパートメントより大きい、請求項１に記載のバスケットアセンブリ。
【請求項４】
前記第２のコンパートメントは、前記第１のコンパートメントと同じ断面形状を有する、請求項１に記載のバスケットアセンブリ。
【請求項５】
前記グリッドは、複数の第１のコンパートメントを画定する、請求項１に記載のバスケットアセンブリ。
【請求項６】
前記グリッドは、複数の第２のコンパートメントを画定する、請求項１に記載のバスケットアセンブリ。
【請求項７】
前記グリッド寸法は、正方形アレイにおける第１のコンパートメントの間隔と等しい、請求項１に記載のバスケットアセンブリ。
【請求項８】
前記第１のコンパートメントの断面形状は、正方形である、請求項１に記載のバスケットアセンブリ。
【請求項９】
前記第２のコンパートメントの断面形状は、正方形である、請求項１に記載のバスケットアセンブリ。
【請求項１０】
前記第１および第２の燃料アセンブリは、使用済み燃料アセンブリである、請求項１に記載のバスケットアセンブリ。
【請求項１１】
第３の燃料アセンブリを受け取るための第３のコンパートメントをさらに備え、前記第３のコンパートメントの断面積は、前記第１および第２のコンパートメントの断面積より大きい、請求項１に記載のバスケットアセンブリ。
【請求項１２】
前記第３のコンパートメントの断面積は、ある増倍率だけ前記第１のコンパートメントの断面積より大きい、請求項１１に記載のバスケットアセンブリ。
【請求項１３】
前記第３のコンパートメントは、前記第１および第２のコンパートメントと同じ断面形状を有する、請求項１１に記載のバスケットアセンブリ。
【請求項１４】
前記第３のコンパートメントの断面形状は、正方形である、請求項１１に記載のバスケットアセンブリ。
【請求項１５】
前記グリッドは、複数の第３のコンパートメントを画定する、請求項１１に記載のバスケットアセンブリ。
【請求項１６】
複数の燃料アセンブリを受け取るためのバスケットアセンブリであって、前記バスケットアセンブリは、燃料アセンブリコンパートメント間の間隔を画定するグリッドを有するバスケットを備え、
前記グリッドは、
第１の燃料アセンブリを受け取るために構成された第１のコンパートメントであって、前記第１の燃料アセンブリは、定形燃料アセンブリである、第１のコンパートメントと、
第２の燃料アセンブリを受け取るために構成された第２のコンパートメントであって、前記第２の燃料アセンブリは、不定形燃料アセンブリである、第２のコンパートメントと
を少なくとも画定し、
前記第２のコンパートメントの断面積は、ある増倍率だけ前記第１のコンパートメントの断面積より大きい、バスケットアセンブリ。
【請求項１７】
複数の燃料アセンブリを含むバスケットアセンブリであって、前記バスケットアセンブリは、
燃料アセンブリコンパートメント間の間隔を画定するグリッドを有するバスケットであって、前記グリッドは、少なくとも第１のコンパートメントと第２のコンパートメントとを画定し、前記第２のコンパートメントの断面積は、前記第１のコンパートメントの断面積より大きい、バスケットと、
前記第１のコンパートメントの中に配置された第１の定形燃料アセンブリおよび前記第２のコンパートメントの中に配置された第２の不定形燃料アセンブリと
を備えている、バスケットアセンブリ。
【発明の詳細な説明】
【技術分野】
【０００１】
（関連出願の相互参照）
本願は、その開示が参照することによってその全体として本明細書に明示的に組み込まれる２０１７年１２月２０日に出願された米国仮出願第６２／６０８５２６号の利益を主張する。
【背景技術】
【０００２】
キャニスタアセンブリは、典型的に、放射性燃料を貯蔵および移送するために使用される。使用済み燃料のためのキャニスタアセンブリは、個々の燃料アセンブリをバスケットのセル内に受け取るための「バスケット」を含み、バスケットおよび燃料アセンブリは、外側キャニスタ内に含まれる。バスケットは、典型的に、ステンレス鋼プレートまたはステンレス鋼プレートと同じ構造機能を同様に果たし得る中性子吸着プレートと、アルミニウムレールまたは他の鋼鉄構造とから構築され、それらは、バスケット構成に溶接されるか、または、スタックされる。コンパートメント間の幾何学的間隔および固定された中性子吸収体は、臨界制御を維持するために使用される。特に、不定形燃料アセンブリのための改良されたモジュール式バスケット設計の必要性が存在する。本開示の実施形態は、これらおよび他の必要性を充足することを対象とする。
【発明の概要】
【課題を解決するための手段】
【０００３】
本概要は、下記の発明を実施するための形態にさらに説明される一連の概念を簡略化された形態において導入するために提供される。本概要は、請求される主題の重要な特徴を識別することを意図するものではなく、請求される主題の範囲を決定することにおける補助として使用されるように意図されるものでもない。
【０００４】
本開示の一実施形態によると、複数の燃料アセンブリを受け取るためのバスケットアセンブリが、提供される。バスケットアセンブリは、燃料アセンブリコンパートメント間の間隔を画定するグリッドを有するバスケットを含み、グリッドは、第１の燃料アセンブリを受け取るための第１のコンパートメントと、第２の燃料アセンブリを受け取るための第２のコンパートメントとを画定し、第２のコンパートメントの断面積は、第１のコンパートメントの断面積より大きく、バスケットアセンブリは、第１のコンパートメントの中に第１の燃料アセンブリを受け取るように構成され、第１の燃料アセンブリは、定形燃料アセンブリであり、バスケットアセンブリは、第２のコンパートメントの中に第２の燃料アセンブリを受け取るように構成され、第２の燃料アセンブリは、不定形燃料アセンブリであり、不定形燃料アセンブリは、少なくとも１つの不定形燃料棒を含む。
【０００５】
本開示の別の実施形態によると、複数の燃料アセンブリを受け取るためのバスケットアセンブリが、提供される。バスケットアセンブリは、燃料アセンブリコンパートメント間の間隔を画定するグリッドを有するバスケットを含み、グリッドは、第１の燃料アセンブリを受け取るために構成された第１のコンパートメントであって、第１の燃料アセンブリは、定形燃料アセンブリである、第１のコンパートメントと、第２の燃料アセンブリを受け取るために構成された第２のコンパートメントであって、第２の燃料アセンブリは、不定形燃料アセンブリである、第２のコンパートメントとを少なくとも画定し、第２のコンパートメントの断面積は、ある増倍率だけ第１のコンパートメントの断面積より大きい。
【０００６】
本開示の別の実施形態によると、複数の燃料アセンブリを含むバスケットアセンブリが、提供される。バスケットアセンブリは、燃料アセンブリコンパートメント間の間隔を画定するグリッドを有するバスケットを含み、グリッドは、少なくとも、第１のコンパートメントと、第２のコンパートメントとを画定し、第２のコンパートメントの断面積は、第１のコンパートメントの断面積より大きく、第１の定形燃料アセンブリは、第１のコンパートメントの中に配置され、第２の不定形燃料アセンブリは、第２のコンパートメントの中に配置される。
【０００７】
本明細書に説明される実施形態のいずれかにおいて、不定形燃料棒は、湾曲した燃料棒、捻じられた燃料棒、変形させられた燃料棒、損傷された燃料棒、瓶詰めされた燃料デブリ、およびそれらの任意の組み合わせから成る群から選択され得る。
【０００８】
本明細書に説明される実施形態のいずれかにおいて、第２のコンパートメントの断面積は、ある増倍率だけ第１のコンパートメントより大きくあり得る。
【０００９】
本明細書に説明される実施形態のいずれかにおいて、第２のコンパートメントは、第１のコンパートメントと同じ断面形状を有し得る。
【００１０】
本明細書に説明される実施形態のいずれかにおいて、グリッドは、複数の第１のコンパートメントを画定し得る。
【００１１】
本明細書に説明される実施形態のいずれかにおいて、グリッドは、複数の第２のコンパートメントを画定し得る。
【００１２】
本明細書に説明される実施形態のいずれかにおいて、グリッド寸法は、正方形アレイにおける第１のコンパートメントの間隔と等しくあり得る。
【００１３】
本明細書に説明される実施形態のいずれかにおいて、第１のコンパートメントの断面形状は、正方形であり得る。
【００１４】
本明細書に説明される実施形態のいずれかにおいて、第２のコンパートメントの断面形状は、正方形であり得る。
【００１５】
本明細書に説明される実施形態のいずれかにおいて、第１および第２の燃料アセンブリは、使用済み燃料アセンブリであり得る。
【００１６】
本明細書に説明される実施形態のいずれかにおいて、バスケットアセンブリは、第３の燃料アセンブリを受け取るための第３のコンパートメントをさらに含み得、第３のコンパートメントの断面積は、第１および第２のコンパートメントの断面積より大きくあり得る。
【００１７】
本明細書に説明される実施形態のいずれかにおいて、第３のコンパートメントの断面積は、ある増倍率だけ第１のコンパートメントの断面積より大きくあり得る。
【００１８】
本明細書に説明される実施形態のいずれかにおいて、第３のコンパートメントは、第１および第２のコンパートメントと同じ断面形状を有し得る。
【００１９】
本明細書に説明される実施形態のいずれかにおいて、第３のコンパートメントの断面形状は、正方形であり得る。
【００２０】
本明細書に説明される実施形態のいずれかにおいて、グリッドは、複数の第３のコンパートメントを画定し得る。
【図面の簡単な説明】
【００２１】
本開示の前述の側面および付帯利点の多くは、付随の図面と関連して検討されると、以下の発明を実施するための形態を参照することによってより深く理解されるようになるにつれて、より容易に認識されるようになるであろう。
【００２２】
【図１Ａ】図１Ａは、本開示の一実施形態によるバスケットアセンブリの等角図である。
【００２３】
【図１Ｂ】図１Ｂは、図１Ａのバスケットアセンブリの上面図である。
【００２４】
【図２Ａ】図２Ａは、本開示の別の実施形態によるバスケットアセンブリの等角図である。
【００２５】
【図２Ｂ】図２Ｂは、図２Ａのバスケットアセンブリの上面図である。
【００２６】
【図３Ａ】図３Ａは、本開示の別の実施形態によるバスケットアセンブリの等角図である。
【００２７】
【図３Ｂ】図３Ｂは、図３Ａのバスケットアセンブリの上面図である。
【００２８】
【図４】図４は、以前に開発された技術による、キャニスタアセンブリ内に配置されるバスケットアセンブリの等角図である。
【発明を実施するための形態】
【００２９】
同様の番号が同様の要素を参照する添付の図面に関連して下記に記載される発明を実施するための形態は、開示される主題の種々の実施形態の説明として意図され、唯一の実施形態を表すことを意図するものではない。本開示に説明される各実施形態は、単純に、例または例証として提供され、他の実施形態より好ましいまたは有利であるものとして解釈されるべきではない。本明細書に提供される例証的例は、包括的である、または本開示を開示される精密な形態に限定することを意図するものではない。同様に、本明細書に説明される任意のステップは、同じまたは実質的に同様の結果を達成するために、他のステップまたはステップの組み合わせと相互交換可能であり得る。
【００３０】
以下の説明において、多数の具体的詳細が、本開示の例示的実施形態の完全な理解を提供するために記載される。しかしながら、多くの本開示の実施形態は、具体的詳細の一部または全部を伴わずに実践され得ることが、当業者に明白であろう。いくつかの事例において、周知のプロセスステップは、本開示の種々の側面を不必要に曖昧にしないために、詳細に説明されていない。さらに、本開示の実施形態は、本明細書に説明される特徴の任意の組み合わせを採用し得ることを理解されたい。
【００３１】
本開示の実施形態は、例えば、通気口付きキャニスタ貯蔵装置または移送システムにおける放射性材料の乾式貯蔵、移送、および格納のために使用されるアセンブリのためのモジュール式バスケットアセンブリと、そのようなバスケットアセンブリを製造する方法とを対象とする。図１Ａおよび１Ｂを参照すると、本開示の一実施形態に従って構築されたモジュール式バスケットアセンブリ１０が、提供される。モジュール式バスケットアセンブリ１０は、グリッド２０（図１Ｂ参照）を含むバスケットを含み、グリッド２０は、複数の燃料アセンブリコンパートメント２４を画定する。コンパートメントのグリッド２０は、少なくとも第１の燃料アセンブリを受け取るための第１のコンパートメント２４と、第２の燃料アセンブリを受け取るための第２のコンパートメント２８とを画定する。
【００３２】
本開示の実施形態において、第１および第２のコンパートメント２４および２８の断面積は、非均一である。一実施形態において、第２のコンパートメント２８の断面積は、第１のコンパートメント２４の断面積より大きい。
【００３３】
本開示のバスケットアセンブリは、不定形燃料アセンブリを受け取るように構成され、不定形燃料アセンブリは、湾曲した燃料棒、捻じられた燃料棒、変形させられた燃料棒、損傷された燃料棒、瓶詰めされた燃料デブリ、またはそれらの任意の組み合わせ等の少なくとも１つの不定形燃料棒を含み得る。
【００３４】
核燃料は、核分裂または融合によって「燃焼」させられ、エネルギーを生成し得る材料である。例えば、燃料アセンブリは、富化ウラン燃料（約４％のＵ−２３５）を新鮮な燃料として含み得る。燃料「燃焼」プロセス中、Ｕ−２３５の含有量が、減少し、プルトニウムの含有量が、増加する（最大約１％のＰｕ）。
【００３５】
典型的な核反応器は、加圧水型反応器（ＰＷＲ）と、沸騰水型反応器（ＢＷＲ）とを含む。大部分の反応器用途において、ウラン燃料は、二酸化ウランの形態であり、それは、非常に低い熱伝導性および非常に高い融点を伴う黒色半伝導性固体である。二酸化ウランは、押してペレットにされ得る、ペレットは、次いで、固体に焼結される。これらのペレットは、次いで、例えば、ジルコニウム合金から作製される管であり得る燃料棒内に装填され、カプセルに包まれる。ペレットを覆う管の表面は、燃料クラッディングと呼ばれる。
【００３６】
燃料棒または要素の集合は、燃料アセンブリと呼ばれる。燃料棒は、燃料アセンブリの基礎要素である。
【００３７】
概して、均一な燃料棒を含む均一燃料アセンブリとして製造されるが、不定形化が、「燃焼」プロセス中に生じる。したがって、不定形使用済み（または放射済み）燃料アセンブリは、１つ以上の不定形使用済み燃料棒を含み得る。
【００３８】
使用済み（または放射済み）核燃料アセンブリは、放射を遮蔽し、燃料アセンブリを冷却するために、反応器から除去され、使用済み燃料プール内に貯蔵される。使用済み燃料は、典型的に、乾式キャスク貯蔵装置に輸送する前、１〜１０年にわたってプールの中で冷却される。乾式キャスク貯蔵装置への輸送は、燃料アセンブリ全体を全体として移動させること、または、燃料棒を燃料アセンブリから、プールに、プールから、キャニスタに含まれるバスケットアセンブリに個々に移動させることを含む。キャニスタは、次いで、乾燥によって処理され、現場でキャスク貯蔵装置を乾燥させるために輸送用キャスクの中で輸送されるか、または、移送用キャスクの中で現場外に移送される。
【００３９】
本開示の実施形態は、少なくとも１つの不定形燃料棒を含む不定形燃料アセンブリを受け取るように構成されたバスケットアセンブリを対象とする。本開示の一実施形態による、バスケットアセンブリ１０は、不定形燃料アセンブリを受け取るように設計および構成される。バスケットアセンブリ１０は、第１の燃料アセンブリを第１のコンパートメント２４内に（第１の燃料アセンブリは、定形であり（かつ変形させられておらず））、第２の燃料アセンブリを第２のコンパートメント２８内に（第２の燃料アセンブリは、不定形燃料アセンブリである）受け取り、含むように構成される。輪郭レール２６が、グリッド２２の周囲に形成され、バスケットアセンブリ１０の全体的円筒形または略円筒形構造、または他の構造を提供する。
【００４０】
図４を参照すると、コンテナアセンブリＣのための以前に設計されたバスケットアセンブリ１１０が、示される。バスケットアセンブリ１１０は、概して、複数のコンパートメントまたはセル１２４を均一グリッド構造１２２において画定し、セル１２４は、断面寸法において実質的に均一であるように構築される。セル１２４は、個々の燃料アセンブリ（図示せず）を支持するために構成される。輪郭レール１２６が、グリッド構造１２２の周囲に形成され、バスケットアセンブリ１１０の全体的円筒形または略円筒形構造、または他の構造を提供する。グリッド構造１２２は、燃料アセンブリが、好適な幾何学的間隔を隣接する燃料アセンブリ間に維持し、臨界のリスクを低減させることを可能にする。
【００４１】
以前に設計されたバスケットアセンブリ１１０の個々のセル１２４は、典型的に、ステンレス鋼プレート、またはステンレス鋼プレートと同じ構造機能を同様に果たすことができる中性子吸着プレートから製造され、それらは、複数のセル１２４を画定するグリッド構造１２２に一緒に溶接されるか、またはスタックされる。ステンレス鋼プレートは、それらの構造特性により、かつ、貯蔵プール等の湿潤環境において使用されるとき、それらが耐腐食性であるので、使用される。ステンレス鋼プレートと同じ構造機能を同様に果たすことができる中性子吸着プレートも、耐腐食性である。腐食は、構造劣化および／または貯蔵プールの汚染をもたらし得る。周辺レール１２６は、典型的に、アルミニウムまたは鋼鉄から構築される。中性子吸着プレート（図示せず）は、特に、隣接するセル１２４間でグリッド構造１２２のセル１２４を並べるように構成される。したがって、セル１２４は、個々の燃料アセンブリのための別々かつ遮蔽された縦方向コンパートメントを形成する。
【００４２】
図４の以前に設計されたバスケットアセンブリ１１０の均一セル構造とは対照的に、本開示のバスケットアセンブリ１０のセル構造は、非均一である。
【００４３】
図１Ａおよび１Ｂを参照すると、グリッド２０は、燃料アセンブリコンパートメント間の間隔を画定し、燃料アセンブリコンパートメントは、第１の断面構成を有する複数の第１のコンパートメント２４と、第１の断面構成と異なる第２の断面構成を有する複数の第２のコンパートメント２８とを含む。第１の断面構成と異なる第２の断面構成を有する複数の第２のコンパートメント２８を含むように示されるが、第１の断面構成と異なる第２の断面構成を有する１つのみの第２のコンパートメント２８を含む実施形態も、本開示の範囲内内である。
【００４４】
図１Ａおよび１Ｂの図示される実施形態において、グリッド２０は、第１のコンパートメント２４の３×３断面正方形の５つのアレイと、第２のコンパートメント２８の４つの断面正方形とを含む。第２のコンパートメント２８の各々は、第１のコンパートメント２４の４つの２×２断面正方形のアレイと等しい断面積を有する。サイズが、均等であるので、第２のコンパートメント２８は、製造中、第１のコンパートメント２４の２×２断面正方形と単純に交換されることができる。
【００４５】
図示される実施形態において、第１および第２のコンパートメント２４および２８の両方の断面形状は、正方形形状であり、第２のコンパートメント２８の断面形状は、第１のコンパートメント２４の断面形状より大きい正方形である。本開示の他の実施形態において、第１および第２のコンパートメント２４および２８の断面形状は、正方形である必要はなく、長方形、円形、卵形、または多角形等の他の形状であり得る。非限定的例として、加圧水型エネルギー反応器（ＶＶＥＲ）のためのバスケットアセンブリは、六面体燃料アセンブリのためのグリッドを提供する。さらに、他の実施形態において、第１および第２のコンパートメント２４および２８の断面形状は、同じである必要はなく、互いに異なり得る。
【００４６】
図示される実施形態において、第１および第２のコンパートメント２４および２８のグリッド２０は、中心水平軸および中心垂直軸の両方に沿って対称である。本開示の他の実施形態において、１つ以上の軸に沿ったコンパートメントの対称性は、要求されない。例えば、グリッド２０は、その構成において対称であり得るか、または、ランダムでさえあり得る。
【００４７】
図示される実施形態において、第２のコンパートメント２８の断面積は、ある増倍率だけ（例えば、１．５倍、２倍、４倍、または８倍）第１のコンパートメント２４の断面積より大きい。しかしながら、コンパートメントの他のサイズも、本開示の範囲内である。例えば、図１Ａおよび１Ｂに提供されるバスケットアセンブリ設計は、例えば、ＢＷＲ燃料アセンブリのより小さいサイズの結果として、３×３アレイに配列されるより小さいコンパートメントを有する沸騰水型反応器（ＢＷＲ）燃料アセンブリに基づき得る。より大きい加圧水型反応器（ＰＷＲ）燃料アセンブリは、２×２アレイに配列されるより大きいコンパートメントにおいて配列され得る。
【００４８】
ここで図２Ａ、２Ｂ、３Ａ、および３Ｂを参照すると、モジュール式バスケットアセンブリ１０のための異なる構成が、提供される。
【００４９】
図２Ａおよび２Ｂを参照すると、グリッド２０は、燃料アセンブリコンパートメント間の間隔を画定し、燃料アセンブリコンパートメントは、第１の断面構成を有する複数の第１のコンパートメント２４と、第１の断面構成と異なる第２の断面構成を有する複数の第２のコンパートメント２８と、第１および第２の断面構成と異なる第３の断面構成を有する複数の第３のコンパートメント２４とを含む。
【００５０】
図２Ａおよび２Ｂの図示される実施形態において、グリッド２０は、第１のコンパートメント２４の３×３断面正方形の４つのアレイと、第２のコンパートメント２８の４つの断面正方形と、第３のコンパートメント３０の４つの断面正方形とを含む。上で議論されるように、第２のコンパートメント２８の各々は、第１のコンパートメント２４の４つの２×２断面正方形のアレイと等しい断面積を有する。４つの第３のコンパートメント３０は、第１のコンパートメント２４の３×３断面正方形のアレイと等しい断面積を有する。第２のコンパートメント３０の２×２アレイは、製造中、第１のコンパートメント２４の３×３断面正方形と単純に交換されることができる。
【００５１】
図３Ａおよび３Ｂを参照すると、グリッド２０は、燃料アセンブリコンパートメント間の間隔を画定し、燃料アセンブリコンパートメントは、第１の断面構成と異なる第２の断面構成を有する複数の第２のコンパートメント２８と、第２の断面構成と異なる第３の断面構成を有する複数の第３のコンパートメント２４とを含む。
【００５２】
図３Ａおよび３Ｂの図示される実施形態において、グリッド２０は、第３のコンパートメント３０の２×２断面正方形の５つのアレイと、第２のコンパートメント２８の４つの断面正方形とを含む。第２のコンパートメント２８の各々は、第１のコンパートメント２４の４つの２×２断面正方形のアレイと等しい断面積を有する。上で議論されるように、第２のコンパートメント２８の２×２アレイは、製造中、第１のコンパートメント２４の３×３断面正方形と単純に交換されることができる。
【００５３】
均一燃料アセンブリコンパートメントを有する以前に設計されるバスケットアセンブリは、均一コンパートメント内に嵌合しない、不定形燃料アセンブリを取り扱うことを可能にしない。したがって、特殊バスケットが、製造費用および複雑性の不利点を被って、不定形燃料アセンブリを収容するために製造される必要があった。したがって、本開示のモジュール式バスケットアセンブリ１０の利点は、低減させられた製造コスト、低減させられた製造複雑性、および改良された性能を含む。バスケット製造業者が、バスケットアセンブリ内に配置されるための不定形燃料アセンブリの数および不定形燃料アセンブリの断面寸法を通知されることによって、バスケットアセンブリは、不定形燃料アセンブリを収容するために、従来のバスケットセルより断面寸法が大きい特定のモジュール式セルを伴って、製造されることができる。
【００５４】
例証的実施形態が、図示および説明されたが、種々の変更が、本開示の精神および範囲から逸脱することなく、その中で行われることができることを理解されたい。
排他的性質または特権が請求される本開示の実施形態は、以下のように定義される。
【図１Ａ】
2021507248.tif 000003
【図１Ｂ】
2021507248.tif 000004
【図２Ａ】
2021507248.tif 000005
【図２Ｂ】
2021507248.tif 000006
【図３Ａ】
2021507248.tif 000007
【図３Ｂ】
2021507248.tif 000008
【図４】
2021507248.tif 000009
【国際調査報告】
2021507248.tif 000010
2021507248.tif 000011